(57)【要約】【課題】ケーシングに設けられている係合部が仮に損壊したとしても、落下を好適に防止することができ、ユーザに安心感を与えることが可能な壁掛け型の空調機を提供する。【解決手段】空調用の機器を内部に収容するケーシング１を有し、このケーシング１には、所望の壁部９０に固定される取付板８に係合させるための係合部１５が設けられている壁掛け型の空調機Ａであって、ケーシング１に直接または間接的に連結されている補助部材４を備えており、この補助部材４は、係合部１５とともに取付板８に係合していることにより、または係合部１５が損壊したときにこの係合部１５に代わって取付板８に係合することにより、係合部１５の損壊時においてケーシング１を取付板８に支持させることが可能である。【選択図】  図１
2009030909.tif 000002
【特許請求の範囲】
【請求項１】
空調用の機器を内部に収容するケーシングを有し、
このケーシングには、所望の壁部に固定される取付板に係合させるための係合部が設けられており、
前記係合部を利用して前記取付板に支持される、壁掛け型の空調機であって、
前記ケーシングに直接または間接的に連結されている補助部材を備えており、
この補助部材は、前記係合部とともに前記取付板に係合していることにより、または前記係合部が損壊したときにこの係合部に代わって前記取付板に係合することにより、前記係合部の損壊時において前記ケーシングを前記取付板に支持させることが可能に設けられていることを特徴とする、壁掛け型の空調機。
【請求項２】
前記係合部は、前記取付板に形成されている上向きの係合用突起を下方から進入させるための下部開口状の凹部を形成しており、
前記補助部材の一部は、前記係合用突起に係合可能に前記凹部内に配置されている、請求項１に記載の壁掛け型の空調機。
【請求項３】
前記ケーシングは、前記凹部の前面側が開口している背板部を有しており、
前記補助部材は、前記背板部の前面部に取り付けられているとともに、前記凹部に対してその前面側から進入する曲げ部を有しており、
前記凹部内のうち、前記曲げ部の前面側には、前記係合用突起を進入可能とする隙間が形成されている、請求項２に記載の壁掛け型の空調機。
【請求項４】
前記空調用の機器として、熱交換器を有しており、
この熱交換器は、前記補助部材に連結されている、請求項１ないし３のいずれかに記載の壁掛け型の空調機。
【請求項５】
前記ケーシングは、合成樹脂製であり、かつ前記係合部は、前記ケーシングに一体的に形成されており、
前記補助部材は、板状、ワイヤ状、あるいはこれら以外の形態を有する金属製部材である、請求項１ないし４のいずれかに記載の壁掛け型の空調機。
【発明の詳細な説明】
【技術分野】
【０００１】
本発明は、浴室暖房機やその他の空調機のうち、上下方向（略鉛直方向）に沿う所望の壁部に取り付けられて使用される壁掛け型の空調機に関する。
【背景技術】
【０００２】
たとえば、浴室暖房機は、合成樹脂製のケーシング内に吸排気用のファンや熱交換器などの機器が収容された構成を有しているのが一般的である。このような浴室暖房機を浴室の側壁に取り付ける場合、この浴室の側壁に金属製の取付板を予め固定させておき、この取付板に浴室暖房機を掛止させる手段がよく用いられる。また、取付板に浴室暖房機を掛止させるための具体例としては、取付板に係合用突起を形成しておくとともに、浴室暖房機のケーシングの背面部には、凹部を有する係合部を形成しておき、これらを係合させる手段がある（たとえば、特許文献１を参照）。
【０００３】
このような手段によれば、浴室暖房機を取付板に掛止させて所定の取り付け対象位置に配置させることができる。このため、作業者が浴室暖房機を手で所定高さに持ち上げたままネジ止め作業を行なうような必要はなく、浴室暖房機の取り付け作業が容易となる。
【０００４】
しかしながら、前記従来技術においては、浴室暖房機の取り付けに関する信頼性を高めて、ユーザの安心感を満足させる観点からすると、次に述べるように、未だ改善の余地があった。
【０００５】
すなわち、浴室暖房機が設置される浴室の環境は種々である。浴室暖房機の使用環境を考えた場合、その可能性は極めて少ないものの、たとえば強酸性の漂白剤やその他の洗剤などが浴室暖房機のケーシングに長期間にわたって繰り返して浴びせられるなど、浴室暖房機が異常な使用環境条件下に晒される情況を想定することができる。このような異常な使用環境条件下においては、ケーシングの係合部やその近辺の品質が大幅に劣化して、前記係合部が損壊する結果、浴室暖房機が浴室の側壁から落下する事態を生じることも想定し得る。このような事態は、極めて異例であり、特殊なケースと考えられるが、ユーザに安心感を与える観点からすると、前記したような不測の事態に対して好適に対処し得るようにすることが好ましい。この点は、浴室暖房機に限らず、前記した浴室暖房機と同様な取り付け方式を採用している他の空調機においても同様である。
【０００６】
【特許文献１】特開２００２−３４０３５５号公報
【発明の開示】
【発明が解決しようとする課題】
【０００７】
本発明は、前記したような事情のもとで考え出されたものであって、ケーシングに設けられている係合部が仮に損壊したとしても、取り付け箇所から落下することを好適に防止することができ、ユーザに安心感を与えることが可能な壁掛け型の空調機を提供することを、その課題としている。
【課題を解決するための手段】
【０００８】
上記の課題を解決するため、本発明では、次の技術的手段を講じている。
【０００９】
本発明により提供される壁掛け型の空調機は、空調用の機器を内部に収容するケーシングを有し、このケーシングには、所望の壁部に固定される取付板に係合させるための係合部が設けられており、前記係合部を利用して前記取付板に支持される、壁掛け型の空調機であって、前記ケーシングに直接または間接的に連結されている補助部材を備えており、この補助部材は、前記係合部とともに前記取付板に係合していることにより、または前記係合部が損壊したときにこの係合部に代わって前記取付板に係合することにより、前記係合部の損壊時において前記ケーシングを前記取付板に支持させることが可能に設けられていることを特徴としている。
【００１０】
このような構成によれば、何らかの特殊な事情に起因して、仮にケーシングの係合部が損壊する事態を生じたとしても、補助部材の作用によって前記ケーシングを取付板に支持させておくことが可能であり、壁部から空調機が落下することは好適に防止される。したがって、ユーザに対して大きな安心感を与えることができる。
【００１１】
本発明の好ましい実施の形態においては、前記係合部は、前記取付板に形成されている上向きの係合用突起を下方から進入させるための下部開口状の凹部を形成しており、前記補助部材の一部は、前記係合用突起に係合可能に前記凹部内に配置されている。
【００１２】
このような構成によれば、係合部の凹部内に配置されている補助部材の一部を、取付板の係合用突起に対して容易かつ確実に係合させることが可能となる。
【００１３】
本発明の好ましい実施の形態においては、前記ケーシングは、前記凹部の前面側が開口している背板部を有しており、前記補助部材は、前記背板部の前面部に取り付けられているとともに、前記凹部に対してその前面側から進入する曲げ部を有しており、前記凹部内のうち、前記曲げ部の前面側には、前記係合用突起を進入可能とする隙間が形成されている。
【００１４】
このような構成によれば、空調機を取付板に支持させる場合に、前記隙間に取付板の係合用突起を挿入させるように形成すれば、この係合用突起を前記補助部材に対しても容易かつ確実に係合させることが可能となる。したがって、空調機を従来と全く同様な作業手順で取付板に掛止させればよいこととなり、空調機の取り付け作業の煩雑化を回避することができる。
【００１５】
本発明の好ましい実施の形態においては、前記空調用の機器として、熱交換器を有しており、この熱交換器は、前記補助部材に連結されている。
【００１６】
このような構成によれば、ケーシングに対する熱交換器の取付け箇所が損壊したような場合であっても、補助部材を利用して熱交換器を安定的に支持させておくことができる。熱交換器は、たとえば金属製の多数枚のフィンに金属製パイプが貫通したような構造を有しており、ケーシング内に収容される空調用の各種の機器のうち、その重量は最大または最大に近く、かなり重いのが一般的であるため、このような熱交換器の安定的な支持がなされれば、ユーザに対してより大きな安心感を与えることができる。
【００１７】
本発明の好ましい実施の形態においては、前記ケーシングは、合成樹脂製であり、かつ前記係合部は、前記ケーシングに一体的に形成されており、前記補助部材は、板状、ワイヤ状、あるいはこれら以外の形態を有する金属製部材である。
【００１８】
このような構成によれば、補助部材がケーシングと同様な原因によって劣化しないようにすることができる。また、補助部材を小サイズにしつつ高い強度を有するものとし、ケーシングの内部または外部において、補助部材が大きく嵩張るようなことを回避しつつ、補助部材によるケーシングの支持の確実化を図ることもできる。
【００１９】
本発明のその他の特徴および利点は、添付図面を参照して以下に行なう発明の実施の形態の説明から、より明らかになるであろう。
【発明を実施するための最良の形態】
【００２０】
以下、本発明の好ましい実施の形態について、図面を参照して具体的に説明する。
【００２１】
図１〜図７は、本発明が適用された壁掛け型の浴室暖房機の一例を示している。図１に表われているように、本実施形態の浴室暖房機Ａは、浴室の側壁９０に対し、取付板８を利用して取り付けられるものであり、ケーシング１内に、熱交換器２や吸排気用のファン３が収容された構成を有している。この浴室暖房機Ａは、暖房機能を得るための構成については従来既知の浴室暖房機と同様であるが、ケーシング１には側壁９０からの落下防止機能を高めるための補助部材４が取り付けられており、この点に最大の特徴がある。
【００２２】
ケーシング１は、たとえばＡＢＳ樹脂などの合成樹脂製であり、ケーシング本体１０と、このケーシング本体１０に着脱自在な前面パネル１１とを備えており、この前面パネル１１によってケーシング本体１０の前面開口部が塞がれている。ケーシング１の上壁部１０ａは複数の吸気口１３を有する吸気グリルであり、ファン３が駆動すると、浴室の空気は吸気口１３からケーシング１内に流入して熱交換器２によって加熱され、その後ケーシング１の前面下部の送風口１４から浴室に向けて送風されるように構成されている。熱交換器２は、空気加熱用の温水が流通する金属製のパイプに多数枚の金属製のフィンが装着された構造を有している。この熱交換器２は、たとえば一連に連結された複数のブロック２０ａ〜２０ｃに区分されており、かつこれらのブロック２０ａ〜２０ｃは、ファン３の周囲に配置されてケーシング１にネジ止めされている。ただし、ブロック２０ａは、補助部材４にも連結されており、その詳細な構造については後述する。
【００２３】
取付板８は、たとえばステンレスなどの機械的強度および耐食性に優れる金属製であり、タッピングネジ９１を用いて浴室の側壁９０に固定される。この取付板８は、その上縁部から上向きに突出した断面Ｌ字状の一対の係合用突起８０と、下縁部から前方に突出した受板部８１とを有している。
【００２４】
図３によく表われているように、ケーシング１の背面部には、一対の係合部１５が一体形成されている。各係合部１５は、下部および前部が開口した凹部１５ａを形成しており、この凹部１５ａに取付板８の各係合用突起８０がその下方から進入することにより、これらの部分は互いに係合する。この係合により、浴室暖房機Ａは、取付板８に掛止される。取付板８の受板部８１には、ケーシング１のブラケット片部１６が当接され、これらは、孔部８１ａ，１６ａおよびネジ体９２（図１を参照）を利用して互いに連結される。
【００２５】
補助部材４は、取付板８と同様に、機械的強度および耐食性に優れる材質からなり、たとえばステンレスなどの金属製である。この補助部材４は、図７に示すように、厚みが一定の略帯状であるが、その長手方向中間部には、一部分が他の部分よりもこの補助部材４の厚み方向に変位した一対の曲げ部４０が形成されている。補助部材４およびケーシング１の背板部１０ｂには、ネジ止め用の孔部４１，１７が互いに対応して複数設けられている。図６に示すように、それらの部分にはネジ体９３が挿通されて、補助部材４は背板部１０ｂの前面部に取り付けられている。この補助部材４の取り付け状態において、曲げ部４０は、係合部１５の凹部１５ａに対して、その前面側（図６においては、上側）の開口部分から進入している。このことにより、図２に示すように、曲げ部４０は、係合部１５の後壁部１５ｂに隣接した配置とされ、この曲げ部４０の前面側には、係合用突起８０を進入可能とする隙間１５ｃが形成されている。
【００２６】
図４に示すように、熱交換器２のブロック２０ａは、補助部材４の長手方向の両端部４ａとケーシング１の背板部１０ｂとの双方に対して、ブラケット２１を介して連結されている。より具体的には、図５によく表われているように、熱交換器２のブロック２０ａの幅方向両端部には、孔部２１ａを有する一対の金属製のブラケット２１が固定して取り付けられている。このブラケット２１に熱交換器２のＵ字管を貫通させれば、熱交換器２に対するブラケット２１の取り付け強度を高めることが可能である。補助部材４の長手方向両端部４ａは、ケーシング１に形成されている一対の段部１８にネジ止めされているが、この両端部４ａに設けられている孔部４１ａは、熱交換器２の共締め用とされる。すなわち、各ブラケット２１の孔部２１ａに挿通されるネジ体９４は、補助部材４の孔部４１ａに加えて、これに重なっているケーシング１の孔部１７にも挿通して締め付けられる。このことにより、熱交換器２は、補助部材４およびケーシング１の双方に連結されている。
【００２７】
次に、上記した浴室暖房機Ａの作用について説明する。
【００２８】
この浴室暖房機Ａを浴室の側壁９に取り付ける場合には、従来の壁掛け型の浴室暖房機の場合と同様な手順の作業を行なえばよく、その作業性は良好である。すなわち、まず取付板８の係合用突起８０を係合部１５の凹部１５ａに挿入させて、これらを互いに係合させる。このことにより、浴室暖房機Ａを取付板８に掛止させることができる。図２に示したように、凹部１５ａ内のうち、補助部材４の曲げ部４０の前面側には、隙間１５ｃが形成されており、この隙間１５ｃに係合用突起８０を挿入させればよいために、前記係合作業は容易である。次いで、取付板８の受板部８１にブラケット片部１６を当接させてから、これらをネジ止めすることにより、浴室暖房機Ａの安定的な取り付けを図ることができる。
【００２９】
前記した浴室暖房機Ａの取り付け状態において、たとえば図８に示すように、係合部１５が万一損壊したとしても、この係合部１５に代わり、補助部材４の曲げ部４０が係合用突起８０に係合して浴室暖房機Ａの重量を負担した状態となる。補助部材４は、ケーシング１の係合部１５以外の部分にネジ止めされているために、この補助部材４の曲げ部４０が係合用突起８０に係合されれば、ケーシング１が下方に落下することはなく、浴室暖房機Ａが浴室の側壁９０に取り付けられた状態は適切に維持される。一方、熱交換器２は、重量が比較的大きく、この熱交換器２の安定的な支持を図ることが好ましいが、既述したとおり、この熱交換器２は、ケーシング１に加えて補助部材４にも連結されているために、仮にこの熱交換器２とケーシング１との連結強度が低下するような事態を生じても、熱交換器２は補助部材４によって安定的に支持される。
【００３０】
実際には、ケーシング１の係合部１５やその周辺部の肉厚を十分にとるなどして、係合部１５の強度や耐久性を高めておくことが可能であり、常識的な使用環境条件下および使用期間においては、上記したような係合部１５の損壊を生じないようにすることが可能である。ただし、浴室暖房機Ａが異常な環境下に長期間に渡っておかれるなどの特殊な事情に起因して係合部１５が万一損壊することは考えられる。このような場合に、上記したように浴室暖房機Ａの落下を適切に防止できる機能が発揮されれば、ユーザに対して大きな安心感を与えることが可能であり、浴室暖房機Ａの商品価値を高めることができる。
【００３１】
図９〜図１１は、本発明の他の実施形態を示している。これらの図において、前記実施形態と同一または類似の要素には、前記実施形態と同一の符号を付している。
【００３２】
図９に示す実施形態においては、補助部材４の曲げ部４０の上部に上片部４０ｂが屈曲して形成されている。この上片部４０ｂには、取付板８の係合用突起８０の上端が当接している。
【００３３】
本実施形態によれば、合成樹脂製の係合部１５に対して係合用突起８０の上端が直接当接することが回避され、補助部材４によって係合部１５を補強することができる。もちろん、係合部１５が万一損壊した場合であっても、補助部材４の曲げ部４０は、係合用突起８０に係合した状態を維持するために、浴室暖房機が取付板８から落下することを適切に防止することが可能である。
【００３４】
図１０に示す実施形態においては、熱交換器２に金属製のワイヤ５が連結されている。このワイヤ５は、本発明でいう補助部材の他の例に相当する。より詳しくは、熱交換器２は、ケーシング１にネジ止めされて固定されているが、この熱交換器２の幅方向両端部には、ワイヤ５の両端部が連結されている。この連結は、たとえば熱交換器２の側面部に突出したＵ字管にワイヤ５を結び付けるなどして行なわれている。ワイヤ５は、ケーシング１の背板部１０ｂに形成された孔部１９に通されており、その長手方向中間部は取付板８の係合用突起８０に掛止されている。なお、ワイヤ５については、孔部１９に代えて、係合部１５の開口部分に通すようにしてもかまわない。ワイヤ５の取り付け作業は、浴室暖房機の設置施工現場において行なわれることとなる。
【００３５】
本実施形態においては、係合部１５が万一損壊しても、ワイヤ５が熱交換器２を吊り下げ保持することとなる。このため、熱交換器２に連結されているケーシング１もワイヤ５によって吊り下げられることとなって、浴室暖房機全体の落下を適切に防止することができる。
【００３６】
図１１に示す実施形態においては、熱交換器２に、金属製の帯状または棒状の第１および第２の補助部材６Ａ，６Ｂが連結されている。第１および第２の補助部材６Ａ，６Ｂは、それらの一端部どうしが連結されているとともに、それらの他端部は、取付板８の係合用突起８０と熱交換器２とに連結されている。図面においては、各連結部分を簡略的に示しているが、この連結部分は、不用意にその連結解除がなされない構造とされている。
【００３７】
本実施形態によれば、係合部１５が万一損壊しても、熱交換器２を第１および第２の補助部材６Ａ，６Ｂを利用して取付板８に吊り下げることができる。その結果、この熱交換器２やこの熱交換器２が取り付けられているケーシング１を始めとして、浴室暖房機全体の落下を適切に防止することができる。第２の補助部材６Ｂについては、熱交換器２の幅方向の中間部に連結させた構成とすることができる。このように設定すれば、たとえば第１および第２の補助部材６Ａ，６Ｂを２組用いて、熱交換器２の幅方向両端部を支持させる必要がなく、第１および第２の補助部材６Ａ，６Ｂを１組のみ用いた場合であっても、熱交換器２をバランス良く吊り下げることができる。
【００３８】
本発明は、上述した実施形態の内容に限定されない。本発明に係る壁掛け型の空調機の各部の具体的な構成は、種々に設計変更自在である。
【００３９】
本発明は、壁掛け型の浴室暖房機に限らず、これ以外の冷暖房用などの壁掛け型の空調機にも広く適用することができる。したがって、ケーシング内に収容される空調用機器の具体的な構成なども限定されない。また、ケーシングの具体的な形状なども限定されない。
【００４０】
本発明でいう補助部材は、上述した実施形態から理解されるように、板状、ワイヤ状、あるいはこれら以外の種々の形態とすることができる。また、この補助部材は、強度の確保や低コスト化などの観点からすれば、ステンレスなどの金属製とすることが好ましいが、やはりこれに限定されず、強化プラスチックやセラミックなどの他の材質とすることもできる。なお、補助部材は、ケーシングよりも高強度の材質とすることが好ましい。
【００４１】
本発明においては、ケーシングに設けられた係合部が万一損壊したときに、補助部材が取付板に係合した状態にあり、このことによりケーシングが支持される構成であればよい。したがって、係合部が損壊していない状態においては、補助部材が取付板に係合した状態と係合していない状態とのいずれであってもよい。
【図面の簡単な説明】
【００４２】
【図１】本発明が適用された浴室暖房機の一例を示す断面図である。
【図２】図１のII部拡大断面図である。
【図３】図１に示す浴室暖房機とその取り付けに用いられる取付板とを分離させた状態の説明図である。
【図４】図１に示す浴室暖房機のケーシング内部の要部斜視図である。
【図５】図４に示す構造の分解斜視図である。
【図６】図５の要部斜視図である。
【図７】図６の分解斜視図である。
【図８】図１に示す浴室暖房機の作用を示す要部断面図である。
【図９】本発明の他の例を示す要部断面図である。
【図１０】本発明の他の例を示す一部破断斜視図である。
【図１１】本発明の他の例を示す要部断面図である。
【符号の説明】
【００４３】
Ａ    浴室暖房機（壁掛け型の空調機）
１    ケーシング
２    熱交換器
４    補助部材
５    ワイヤ（補助部材）
６Ａ，６Ｂ  第１および第２の補助部材
８    取付板
１０ｂ  背板部（ケーシングの）
１５    係合部
１５ａ  凹部（係合部の）
１５ｃ  隙間
４０    曲げ部（補助部材の）
８０  係合用突起（取付板の）
９０  浴室の側壁（壁部）
【図１】
2009030909.tif 000003
【図２】
2009030909.tif 000004
【図３】
2009030909.tif 000005
【図４】
2009030909.tif 000006
【図５】
2009030909.tif 000007
【図６】
2009030909.tif 000008
【図７】
2009030909.tif 000009
【図８】
2009030909.tif 000010
【図９】
2009030909.tif 000011
【図１０】
2009030909.tif 000012
【図１１】
2009030909.tif 000013